(57)【要約】【課題】表示制御回路側のリアルタイム画像処理部の性能をあげることなく、再生表示データの高画質化を図れた録画再生方法および録画再生装置を提供する。【解決手段】制御部２５は装置１が待機状態に入ってから所定時間経過したことを確認すると、画像処理の種別データが記憶されたメモリ２７の内容を参照し、バッチ処理での画像処理が必要な録画番組の映像データの画像処理を第１の画像処理部２３に指示する。第１の画像処理部２３で画像処理された映像データは記録媒体７に再記録され、再生指示に基づきデコーダ部１９を介して表示制御部２１に供給される。表示制御部２１において、バッチ処理で画像処理された映像データは表示制御部２１内の第２の画像処理部２１ｂを介さずに表示制御され、バッチ処理で画像されていない映像データは第２の画像処理部２１ｂにて画像処理されつつ表示制御される。【選択図】      図２
2004282192.tif 000002
【特許請求の範囲】
【請求項１】
外部から供給される画像データを記録媒体に記録し、
待機時間中に、前記記録媒体に記録された画像データに対して実施する画像処理の種類を示す種別データにしたがって、前記記録媒体に記録された画像データを画像処理し、
この画像処理された画像データを前記記録媒体に再度記録し、
前記記録媒体に記録された画像データの表示制御を行う際に、画像データが既に画像処理されているか否かを判断し、既に画像処理されていると判断した際には前記記録部媒体に記録された画像データをそのまま表示制御し、画像処理されていないと判断した際には前記記録媒体に記録された画像データを画像処理しながら表示制御する
ことを特徴とした録画再生方法。
【請求項２】
外部から供給される画像データを記録媒体に記録し、
待機時間中に、前記記録媒体に記録された画像データに対して実施する画像処理の種類を示す種別データにしたがって、前記記録媒体に記録された所定の画像データをバッチ処理で画像処理し、
このバッチ処理で画像処理された画像データを前記記録媒体に再度記録し、
バッチ処理での画像処理が行われた画像データはリアルタイム処理での画像処理を行わずに表示制御し、バッチ処理での画像処理が行われていない画像データはリアルタイム処理での画像処理を行いながら表示制御する
ことを特徴とした録画再生方法。
【請求項３】
外部から供給される画像データをエンコード処理し、
このエンコード処理された画像データを記録媒体に記録し、
この記録媒体に記録された画像データの画像処理の種類を示す種別データを記憶し、
前記記録媒体から読み出された画像データをデコードし、
待機時間中にデコードされた画像画像データを、記憶された種別データにしたがってバッチ処理で画像処理し、
バッチ処理で画像処理された画像データを再エンコードし、
再エンコードした画像データを前記記録媒体に再記録し、
前記記録媒体に記録された画像データの再生時に、前記記録媒体から画像データを読出してデコードし、バッチ処理での画像処理が行われていない画像データについてリアルタイム処理で画像処理を行いながら表示制御し、バッチ処理で画像処理された画像データはリアルタイム処理での画像処理を行うことなく表示制御する
ことを特徴とする録画再生方法。
【請求項４】
外部から供給される画像データを記録媒体に記録する記録部と、
この記録媒体に記録された所定の画像データの画像処理の種類を示す種別データが記憶される種別データ記憶部と、
待機時間中に、前記種別データ記憶部に記憶された種別データにしたがって、前記記録媒体に記憶された所定の画像データについて画像処理を行う第１の画像処理部と、
前記第１の画像処理部で画像処理が行われていない画像データの画像処理を行う第２の画像処理部と、
画像データを表示部に表示する表示制御部であって、前記第１の画像処理部で画像処理された画像データは前記第２の画像処理部を介さずに前記表示部に表示し、前記第１の画像処理部で画像処理されていない画像データは前記第２の画像処理部を介して前記表示部に表示する表示制御部と
を具備したことを特徴とする録画再生装置。
【請求項５】
外部から供給される画像データを記録媒体に記録する記録部と、
この記録媒体に記録された所定の画像データの画像処理の種類を示す種別データが記憶される種別データ記憶部と、
待機時間中に、前記種別データ記憶部に記憶された種別データにしたがって、前記記録媒体に記憶された所定の画像データについてバッチ処理での画像処理を行う画像処理部と、
画像データを表示部に表示する表示コントローラ部と
を具備し、前記画像処理部でバッチ処理での画像処理が行われていない画像データは前記画像処理部に供給してリアルタイム処理での画像処理を行いながら前記表示コントローラに供給し、前記画像処理部でバッチ処理での画像処理が行われた画像データは前記画像処理部でのリアルタイム処理での画像処理を行わずに前記表示コントローラ部に供給することを特徴とする録画再生装置。
【請求項６】
外部から供給される画像データをエンコード処理するエンコーダ部と、
このエンコーダ部でエンコード処理された画像データを記録媒体に記録する記録部と、
この記録媒体に記録された画像データの画像処理の種類を示す種別データが記憶される種別データ記憶部と、
前記記録媒体から読み出された画像データをデコード処理するデコーダ部と、
待機時間中に前記記録媒体に記録された画像データを、前記種別データ記憶部に記憶された種別データにしたがって画像処理する第１の画像処理部と、
前記デコーダ部でデコード処理された画像データの表示制御を行う表示制御部と、
前記デコーダ部でデコード処理された画像データのうち、前記第１の画像処理部で画像処理が行われていない画像データについて画像処理を行いながら前記表示制御部に供給する第２の画像処理部と、
を具備し、前記第１の画像処理部で画像処理された画像データは前記第２の画像処理部を介さずに前記表示制御部に供給することを特徴とする録画再生装置。
【発明の詳細な説明】
【０００１】
【発明の属する技術分野】
本発明は光ディスクや磁気ディスク、半導体メモリなどの記録媒体に記録した静止画や動画などの画像データを再生するＨＤＤレコーダ、ＤＶＤレコーダ、デジタルカメラなどで録画した画像データの録画再生方法および録画再生装置に関する。
【０００２】
【従来の技術】
動画データを記録し再生するビデオテープレコーダ、ＨＤＤレコーダ、ＤＶＤレコーダ、ビデオカメラや静止画を記録し再生するデジタルカメラ等の画像記録再生装置においては、録画した画像データを外部または内部モニタに出力する際に、インターレース画像のプログレッシブ画像への変換、フィルタリング処理、ノイズリダクション処理、拡大縮小処理などの画像処理を行っている。
【０００３】
この画像処理はモニタへの画像再生出力時にリアルタイムに行われていた。すなわち、画像記録再生装置は画像データを記録媒体から読出しながら、読み出した画像データの画像処理を画像処理専用ＬＳＩや表示コントローラに内蔵されている画像処理手段によって行いつつモニタへ表示していた（例えば、特許文献１参照。）。
【０００４】
また、静止画を取り扱うデジタル複写機の分野においては、画像処理をバッチ処理する技術が考えられている。このデジタル複写機は、画像読取りユニットで読取られメモリに格納された画像を、装置の入出力動作が行われていない待機時間中に読出してバッチ処理での画像処理を行っている（例えば、特許文献２参照。）。
【０００５】
【特許文献１】
特開２００２−３６６９４６号公報（第４頁、第１図）
【特許文献２】
特開２００１−１７７７１８号公報（第１３頁、第１７図）
【０００６】
【発明が解決しようとする課題】
上記特許文献１では、画像処理を表示制御に対してリアルタイム処理していたため、例えば４８０ｉ（７２０ドット×４８０ドット、インターレース）の番組を１０８０ｐ（１９２０ドット×１０８０ドット、プログレッシブ）の表示データへ変換するような処理時間がかかる画像処理については対応できない、または、このような処理時間がかかる画像処理を行うために高性能な画像処理専用ＬＳＩが必要になるという問題点があった。
【０００７】
また、上記特許文献２では、バッチ処理により画像処理を行った画像をどのように表示制御するかについては何ら考慮されていなかった。
本発明は上記課題に鑑み、表示制御回路側のリアルタイム画像処理の性能をあげることなく、再生表示する画像データの高画質化を図れる録画再生方法および録画再生装置を提供することを目的とする。
【０００８】
【課題を解決するための手段】
本発明の録画再生方法は、外部から供給される画像データを記録媒体に記録し、待機時間中に記録媒体に記録された画像データに対して実施する画像処理の種類を示す種別データにしたがって記録媒体に記録された画像データを画像処理し、この画像処理された画像データを記録媒体に再度記録し、記録媒体に記録された画像データの表示制御を行う際に、画像データが既に画像処理されているか否かを判断し、既に画像処理されていると判断した際には記録部媒体に記録された画像データをそのまま表示制御し、画像処理されていないと判断した際には記録媒体に記録された画像データを画像処理しながら表示制御する。
【０００９】
また、本発明の録画再生方法は、外部から供給される画像データを記録媒体に記録し、待機時間中に記録媒体に記録された所定の画像データの画像処理の種類を示す種別データにしたがって記録媒体に記録された所定の画像データをバッチ処理で画像処理し、このバッチ処理で画像処理された画像データを記録媒体に再度記録し、バッチ処理での画像処理が行われた画像データはリアルタイム処理での画像処理を行わずに表示制御し、バッチ処理での画像処理が行われていない画像データはリアルタイム処理での画像処理を行いながら表示制御する。
【００１０】
また、本発明の録画再生方法は、外部から供給される画像データをエンコード処理し、このエンコード処理された画像データを記録媒体に記録し、記録媒体から読み出された画像データをデコードし、待機時間中にデコードされた画像画像データを画像処理の種類を示す種別データにしたがってバッチ処理で画像処理し、バッチ処理で画像処理された画像データを再エンコードして記録媒体に再記録し、記録媒体に記録された画像データの再生時に、記録媒体から画像データを読出してデコードし、バッチ処理での画像処理が行われていない画像データについてリアルタイム処理で画像処理を行いながら表示制御し、バッチ処理で画像処理された画像データはリアルタイム処理での画像処理を行うことなく表示制御する。
【００１１】
また、本発明の録画再生装置は、外部から供給される画像データを記録媒体に記録する記録部と、この記録媒体に記録された所定の画像データの画像処理の種類を示す種別データが記憶される種別データ記憶部と、待機時間中に種別データ記憶部に記憶された種別データにしたがって、記録媒体に記憶された所定の画像データについて画像処理を行う第１の画像処理部と、第１の画像処理部で画像処理が行われていない画像データの画像処理を行う第２の画像処理部と、画像データを表示部に表示する表示制御部であって、第１の画像処理部で画像処理された画像データは第２の画像処理部を介さずに表示部に表示し、第１の画像処理部で画像処理されていない画像データは第２の画像処理部を介して表示部に表示する表示制御部とを備えている。
【００１２】
また、本発明の録画再生装置は、外部から供給される画像データを記録媒体に記録する記録部と、この記録媒体に記録された所定の画像データの画像処理の種類を示す種別データが記憶される種別データ記憶部と、待機時間中に、種別データ記憶部に記憶された種別データにしたがって、記録媒体に記憶された所定の画像データについてバッチ処理での画像処理を行う画像処理部と、画像データを表示部に表示する表示コントローラ部とを備え、画像処理部でバッチ処理での画像処理が行われていない画像データは画像処理部に供給してリアルタイム処理での画像処理を行いながら表示コントローラに供給し、画像処理部でバッチ処理での画像処理が行われた画像データは画像処理部でのリアルタイム処理での画像処理を行わずに表示コントローラ部に供給する。
【００１３】
また、本発明の録画再生装置は、外部から供給される画像データをエンコード処理するエンコーダ部と、このエンコーダ部でエンコード処理された画像データを記録媒体に記録する記録部と、この記録媒体に記録された画像データの画像処理の種類を示す種別データが記憶される種別データ記憶部と、記録媒体から読み出された画像データをデコード処理するデコーダ部と、待機時間中に記録媒体に記録された画像データを、種別データ記憶部に記憶された種別データにしたがって画像処理する第１の画像処理部と、デコーダ部でデコード処理された画像データの表示制御を行う表示制御部と、デコーダ部でデコード処理された画像データのうち、第１の画像処理部で画像処理が行われていない画像データについて画像処理を行いながら表示制御部に供給する第２の画像処理部とを備え、第１の画像処理部で画像処理された画像データは第２の画像処理部を介さずに表示制御部に供給する。
【００１４】
【発明の実施の形態】
以下、図面を参照して、本発明の実施形態を説明する。
図１は本発明の実施形態に係わる録画再生装置の構成を示すブロック図である。
本実施形態の録画再生装置はＤＶＤ−ＲＡＭを記録媒体として動画像データを記録再生するＤＶＤレコーダ装置から構成される。ＤＶＤレコーダ装置１は、外部からエンコード処理されていない非エンコード映像データが入力される第１の入力端子１１と、外部から既にエンコード処理されたエンコード映像データが入力される第２の入力端子１３と、第１の入力端子１１に入力された非エンコード映像データのエンコード処理を行うエンコーダ部１５と、エンコーダ部１５でエンコード処理されたエンコード映像データおよび第２の入力端子１３から入力されたエンコード映像データが記録される記録媒体７を有する画像データ記録部１７と、この記録部１７に記録されたエンコード映像データをデコード処理するデコーダ部１９と、デコーダ部１９でデコード処理されたデコード映像データの表示装置３に対する表示制御を行う表示制御部２１と、デコーダ部１９でデコード処理されたデコード映像データをバッチ処理で画像処理する第１の画像処理部２３と、リモコンや操作パネルから構成される操作部５からの指示によりＤＶＤレコーダ装置１全体を制御する制御部２５と、画像処理部２３が実行する画像処理の種類を示す種別データなどが記憶される種別データ記憶部である不揮発性メモリ２７と、制御部２５により制御される電源部２９、デコーダ部１９でデコード処理された音声情報を外部スピーカに出力する音声出力部３１を備えている。
【００１５】
なお、表示制御部２１は表示制御を行う表示コントローラ部２１ａと、デコーダ部１９から供給される映像データをリアルタイムで画像処理する第２の画像処理部２１ｂと、記録部１７に記録された映像データを第２の画像処理部２１ｂに供給するか直接表示コントローラ２１ａに供給するかを切り替えるセレクタ部２１ｃを有する。
【００１６】
次に、本実施形態のＤＶＤレコーダ装置１の動作を説明する。
図２はＤＶＤレコーダ装置１の映像データの録画動作およびバッチ処理による画像処理動作を説明するためのフローチャートである。
まず、ユーザがＤＶＤレコーダ装置１で番組の録画または録画予約する際、ユーザから操作部５を介してＤＶＤレコーダ装置１に対して録画または録画予約が指示される。さらに、ユーザから操作部５を介して録画番組のバッチ処理による画像処理を行うか否か、バッチ処理による画像処理を行う際にはどのような種類の画像処理を行うか等の指示が操作部５を介してＤＶＤレコーダ装置１に対して指示される。（ステップＳ２０１）。操作部５を介して供給された指示情報は制御部２５に供給される。制御部２５は録画指示情報または録画予約指示情報を基に録画処理または録画予約処理を行うと共に、バッチ処理による画像処理に関する種別データなどの指示情報をメモリ２７に登録する（ステップＳ２０３）。
【００１７】
図３はメモリ２７に登録される種別データの例を説明するための図である。
種別データはテーブル形式でメモリ２７に保存され、番組名欄２７ａ、録画時刻欄２７ｂ、録画終了フラグ欄２７ｃ、記録容量欄２７ｄ、バッチ処理による画像処理の要否フラグ欄２７ｅ、画像サイズ変換処理の種類欄２７ｆ、インターレース−プログレッシブ変換（以下、ＩＰ変換と称する）処理の要否フラグ欄２７ｇ、ノイズリダクション（以下、ＮＲと称する）処理の要否フラグ欄２７ｈ、エッジ強調処理の要否フラグ欄２７ｉ、バッチ処理による画像処理がどの程度終了したかを示すデータが記憶されるバッチ処理状況欄２７ｊ、バッチ処理による画像処理の期限が記憶される実行期限欄２７ｋからなる。
【００１８】
図３においては、番組「ドラマＡ」に関して、録画時刻欄２７ｂに「２００３年Ａ月Ｂ日」、録画終了フラグ欄２７ｃに「未完」を示す「０」、記憶容量欄２７ｄに「不明」を示す「＊＊」、バッチ要否フラグ欄２７ｅに「要」を示す「１」、画像サイズ変換種別欄２７ｆに「７２０ドット×４８０ドットへの変換」を示す「７２０」、ＩＰ変換要否フラグ欄２７ｇに「要」を示す「１」、ＮＲ要否フラグ欄２７ｈに「要」を示す「１」、エッジ強調要否フラグ欄２７ｉに「否」を示す「０」、バッチ処理状況欄２７ｊにバッチ処理がまだ行われていないことを示す「０」、実行期限欄２７ｋに「２００３年Ｃ月Ｄ日」が登録されている。
【００１９】
また、番組「映画Ｂ」に関して、録画時刻欄２７ｂに「２００３年Ｅ月Ｆ日」、録画終了フラグ欄２７ｃに「未完」を示す「０」、記憶容量欄２７ｄに「不明」を示す「＊＊」、バッチ要否フラグ欄２７ｅに「要」を示す「１」、画像サイズ変換種別欄２７ｆに「１９２０ドット×１０８０ドットへの変換」を示す「１９２０」、ＩＰ変換要否フラグ欄２７Ｇに「否」を示す「０」、ＮＲ要否フラグ欄２７ｈに「要」を示す「１」、エッジ強調要否フラグ欄２７ｉに「否」を示す「０」、バッチ処理状況欄２７ｊにバッチ処理がまだ行われていないことを示す「０」、実行期限欄２７ｋに「２００３年Ｇ月Ｈ日」が登録されている。
【００２０】
また、番組「ドキュメンタリーＣ」に関して、録画時刻欄２７ｂに「２００３年Ｉ月Ｊ日」、録画終了フラグ欄２７ｃに「未完」を示す「０」、記憶容量欄２７ｄに「不明」を示す「＊＊」、バッチ要否フラグ欄２７ｅに「要」を示す「１」、画像サイズ変換種別欄２７ｆに「１９２０ドット×１０８０ドットへの変換」を示す「１９２０」、ＩＰ変換要否フラグ欄２７Ｇに「要」を示す「１」、ＮＲ要否フラグ欄２７ｈに「要」を示す「１」、エッジ強調要否フラグ欄２７ｉに「要」を示す「１」、バッチ処理状況欄２７ｊにバッチ処理がまだ行われていないことを示す「０」、実行期限欄２７ｋに「２００３年Ｋ月Ｌ日」が登録されている。
【００２１】
また、番組「スポーツＤ」に関して、録画時刻欄２７ｂに「２００３年Ｍ月Ｎ日」、録画終了フラグ欄２７ｃに「未完」を示す「０」、記憶容量欄２７ｄに「不明」を示す「＊＊」、バッチ要否フラグ欄２７ｅに「否」を示す「０」が登録され、画像サイズ変換種別欄２７ｆ、ＩＰ変換要否フラグ欄２７Ｇ、ＮＲ要否フラグ欄２７ｈ、エッジ強調要否フラグ欄２７ｉ、バッチ処理状況欄２７ｊ、実行期限欄２７ｋについては「情報不要」を示す「−」が登録されている。
【００２２】
図２に戻り、動作の説明を続ける。
制御部２５はステップＳ２０３で種別データなどをメモリ２７に登録後、録画または録画予約指示情報に基づいて番組の録画処理または録画予約処理を行う。制御部２５が番組録画処理または録画予約処理に基づいてエンコード処理されていない非エンコード映像データを録画する際、非エンコード映像データが第１の入力端子１１を介してエンコーダ部１５に供給される。エンコーダ部１５は供給される非エンコード映像データをＭＰＥＧ１またはＭＰＥＧ２規格に基づきエンコードしＤＶＤ規格に基づくファイル構造のエンコード映像データ（ＭＰＥＧストリーム）を生成する。エンコーダ部１５は生成したエンコード映像データを記録部１７に供給する。記録部１７はエンコードされたエンコード映像データを記録媒体７であるＤＶＤ−ＲＡＭに記録する。また、制御部２５が番組録画処理に基づき既にエンコード処理されているエンコード映像データを録画する場合は、第２の入力端子１３を介してエンコード映像データが記録部１７に供給され記録媒体７に記録される。（ステップＳ２０５）
【００２３】
続いて、制御部２５は所定の番組の録画処理または録画予約処理が終了したか否かを判断する（ステップＳ２０７）。制御部２５は録画処理が終了したと判断するとメモリ２７に登録された該当録画番組の録画終了フラグ欄２７ｃを「完了」を示す「１」に更新し、また録画番組の記憶容量欄２７ｄを更新する（ステップＳ２０９）。所定の番組の録画処理または録画予約処理が終了していない場合、制御部２５は所定の番組の録画処理または録画予約処理を続ける。
【００２４】
図４は所定番組の録画が終了して種別データ欄が制御部１７により一部更新されたメモリ２７の例を説明するための図である。
図４においては、番組「ドラマＡ」の録画終了フラグ欄２７ｃが「終了」を示す「１」に、記憶容量欄２７ｄは記憶容量「６ＧＢ」を示す「６．０」に更新されている。また、番組「映画Ｂ」の録画終了フラグ欄２７ｃが「終了」を示す「１」に、記憶容量欄２７ｄは記憶容量が「２０ＧＢ」を示す「２０．０」に、番組「スポーツＤ」の録画終了フラグ欄２７ｃが「終了」を示す「１」に、記憶容量欄２７ｄは記憶容量が「９ＧＢ」を示す「９．０」に更新されている。
【００２５】
図２に戻り、動作説明を続ける。
制御部２５はステップＳ２０７において所定番組の録画処理または録画予約処理が終了したと判断すると、実行した処理が録画予約によるものであったか否かをチェックする（ステップＳ２１１）。処理が録画予約によるものではなかった場合、制御部２５はユーザから操作部５を介して電源オフの指示があるか否かをチェックする（ステップＳ２１３）。ステップＳ２１１において録画処理が録画予約によるものであった場合またはステップＳ２１３においてユーザから電源オフ指示があった場合、制御部２５は電源部２９を制御してＤＶＤレコーダ装置１を待機状態にする（ステップＳ２１５）。ＤＶＤレコーダ装置１の待機状態とは、制御部２５、操作部５の操作パネル以外の部分についての電源部２９からの電源供給が遮断された状態である。制御部２５はＤＶＤレコーダ装置１を待機状態にすると、制御部２５内部に設けられたタイマーをカウントして待機状態が所定時間（例えば１０分間）経過したかをチェックする（ステップＳ２１７）。
【００２６】
制御部２５は待機時間が所定時間経過したことを判断すると、メモリ２７の内容を参照して、バッチ処理による画像処理を行うべき映像データが記録部１７に記録されているかをチェックする（ステップＳ２１９）。すなわち、制御部１７は図４における録画終了フラグ欄２７ｃに「１」、バッチ要否フラグ欄２７ｅに「１」、バッチ処理状況欄２７ｊにバッチ処理が完了したことを示す「１００」以外のデータが登録された番組の存在の有無をチェックする。
【００２７】
図４においては番組「ドラマＡ」と番組「映画Ｂ」の録画終了フラグ欄２７ｃおよびバッチ要否フラグ欄２７ｅが「１」であり、両番組のバッチ処理状況欄２７ｊが「０」である。したがって、制御部２５はバッチ処理による画像処理を行うべき映像データとして番組「ドラマＡ」と番組「映画Ｂ」が有ると判断する。
【００２８】
制御部２５はステップＳ２１９においてバッチ処理による画像処理を行うべき映像データが記録部１７に記録されていると判断すると、電源部２９からの電源供給を再開し、記録部１７、デコーダ部１９、エンコーダ部１５、第１の画像処理部２３に、番組「ドラマＡ」「映画Ｂ」についてメモリ２７に登録された処理内容で画像処理を行うよう指示する（ステップＳ２２１）。バッチ処理による画像処理を行うべき映像データが無いと判断した際は、制御部２５は処理を終了する。制御部２５は複数の番組について第１の画像処理部２３に画像処理を実施させる際、実行期限欄２７ｋに登録された情報が古い番組から画像処理を実施させる。図４においては番組「ドラマＡ」の実行期限が番組「映画Ｂ」の実行期限より古いものとする。
【００２９】
制御部２５の指示にしたがい、記録部１７はまず記録された番組「ドラマＡ」のエンコード映像データをデコーダ部１９に供給する（ステップＳ２２３）。デコーダ部１９は記録部１７から供給された番組「ドラマＡ」のエンコード映像データのデコード処理を行う（ステップＳ２２５）。デコーダ部１９はデコードしたデコード映像データを第１の画像処理部２３に供給する。
【００３０】
第１の画像処理部２３は供給されたデコード映像データについて、制御部２５からの指示に基づきメモリ２７に登録された種類の画像処理を行う（ステップＳ２２７）。本実施形態においては、図４の番組「ドラマＡ」の処理内容にしたがい、画像処理部２３は番組「ドラマＡ」のデコード映像データの画像サイズを７２０ドット×４８０ドットへ変換処理し、またＩＰ変換処理およびＮＲ処理を行う。
【００３１】
第１の画像処理部２３は番組「ドラマＡ」について制御部２５の指示に基づく画像処理を行いつつ、画像処理した画像処理済み映像データをエンコーダ部１５に供給する。エンコーダ部１５は画像処理部２３から供給された画像処理済み映像データを再エンコード処理する（ステップＳ２２９）。エンコーダ部１５は再エンコード処理した再エンコード映像データを記録部１７に供給する。
【００３２】
記録部１７はエンコーダ部１５から供給された再エンコード映像データを記録媒体７に再記録する（ステップＳ２３１）。再記録の際に、記録部１７は記録媒体７中の元の番組「ドラマＡ」が記録された領域とは別の領域に再エンコード映像データ記録する。記録部１７は番組「ドラマＡ」の再エンコードデータの記録が全て完了すると、元の番組「ドラマＡ」のエンコード映像データを削除する。
【００３３】
制御部２５は番組「ドラマＡ」のバッチ処理による画像処理の途中で操作部５を介して装置１を待機状態から復帰させる指示があるか否かをチェックし（ステップＳ２３３）、復帰指示がなければ番組「ドラマＡ」のバッチ処理による画像処理が完了したか否かを判断する（ステップＳ２３５）。制御部２５はバッチ処理による画像処理が完了したことを判断すると、メモリ２７の該当番組のバッチ処理状況欄２７ｊのデータをバッチ処理が１００％完了したことを示す「１００」に更新する（ステップＳ２３７）。バッチ処理による画像処理が完了していないと判断した際には、制御部２５はステップＳ２２３に処理を戻し、バッチ処理による画像処理を継続させる。
【００３４】
なお、ステップＳ２３３において、制御部２５が第１の画像処理部２３による画像処理の途中で、操作部５を介してユーザから装置１の待機状態からの復帰指示があったと判断すると、第１の画像処理部２３による画像処理の中断を指示する（ステップＳ２３９）。この際、制御部２５は中断時点において記録部１７に記録された再エンコード映像データの位置をチェックし、この位置情報を番組全体に対する比率情報としてメモリ２７の該当番組のバッチ処理状況欄２７ｊのデータを更新する（ステップＳ２３７）。
【００３５】
メモリ２７のバッチ処理状況欄２７ｊのデータ更新が終ると、制御部２５はバッチ処理による画像処理を行うべき番組が他にあるか否かをチェックし（ステップＳ２４１）、バッチ処理による画像処理を行うべき番組があると判断した際にはステップＳ２２１に戻り、実行期限欄２７ｋのデータが次に古い番組についてバッチ処理による画像処理を行うよう指示する。バッチ処理による番組が無いと判断した際には処理を終了する。
【００３６】
図５は所定番組の画像処理が行われた際に制御部１７により種別データが一部更新されたメモリ２７の例を説明するためのテーブルである。
図５において、番組「ドラマＡ」のバッチ処理状況欄２７ｊは番組「ドラマＡ」の画像処理が１００％完了したことを示すデータ「１００」に、番組「映画Ｂ」のバッチ処理状況欄２７ｊは番組「映画Ｂ」の画像処理が５０％まで終った時点で画像処理が中断されたことを示すデータ「５０」に更新されている。先に説明したように、番組「ドラマＡ」についての記録部１７に記録される映像データは、バッチ処理により画像処理され再エンコード処理された再エンコード映像データに更新され元の映像データは削除される。しかし、番組「映画Ｂ」についてはバッチ処理による画像処理が途中までしか実行されていないため、元の番組「映画Ｂ」のエンコード映像データはそのまま記録部１７の記録媒体７中に残った状態になっている。この画像処理が途中までで中断している番組「映画Ｂ」については、制御部２５は次のバッチ処理による画像処理時に優先して画像処理するよう制御する。
【００３７】
上記実施形態においては、待機状態になってから所定時間経過後にバッチ処理による画像処理を実行し、画像処理の途中で待機状態からの復帰指示があると画像処理を中断しているが、待機状態が録画予約に基づく場合には次の録画開始時刻が判断できるため、制御部２５が現在の時刻から次の録画開始時刻までの時間を算出し、その時間内でバッチ処理での画像処理が完了できる対象番組をメモリ２７を参照してチェックして、バッチ処理による画像処理を実行させる制御を行ってもよい。この制御により、画像処理を途中で中断するケースを減らすことが可能になる。
【００３８】
なお、映像データに含まれる音声データに関しては、デコーダ部１９で映像データと分離されてエンコーダ部１５に供給され、エンコーダ部１５でバッチ処理により画像処理された映像データと結合されて記録部１７に供給され記録される。
【００３９】
次に、本実施形態に係るＤＶＤレコーダ装置１の映像データの再生動作を説明する。
図６はＤＶＤレコーダ装置１による映像データの再生動作を説明するためのフローチャートである。
ＤＶＤレコーダ装置１が録画された映像データを再生する際、ユーザから操作部５を介して制御部２５に録画された所定番組の再生が指示される（ステップＳ６０１）。制御部２５は操作部５を介して録画再生が指示されると、メモリ２７の再生指定番組のバッチ要否フラグ欄２７ｅおよびバッチ処理状況欄２７ｊを参照して、再生が指定された番組についてバッチ処理での画像処理が行われたものか否かを判断する（ステップＳ６０３）。再生指定番組がバッチ処理で画像処理が行われたものであると判断した際、制御部２５は表示制御部２１に供給される映像データが第２の画像処理部２１ｂを介さずに表示コントローラ部２１ａに供給されるよう表示制御部２１のセレクタ部２１ｃをセットする（ステップＳ６０５）。再生指定番組がバッチ処理での画像処理が行われたものでは無いと判断した際、制御部２５は表示制御部２１に供給される映像データが第２の画像処理部２１ｂに供給されるよう表示制御部２１のセレクタ部２１ｃをセットする（ステップＳ６０７）。
【００４０】
図５において、番組「ドラマＡ」の再生指示が操作部５を介して制御部２５に与えられると、制御部２５はメモリ２７を参照して番組「ドラマＡ」のバッチ要否フラグ欄２７ｅがバッチ処理要を示す「１」、バッチ処理状況欄２７ｊがバッチ処理の完了していることを示す「１００」であることをチェックし、番組「ドラマＡ」についてはバッチ処理による画像処理が行われた映像データであるとして、映像データが直接表示コントローラ部２１ａに供給されるようセレクタ部２１ｃをセットする。
【００４１】
また、図５において、番組「スポーツＤ」の再生指示が操作部５を介して制御部２５に与えられると、制御部２５はメモリ２７を参照して番組「スポーツＤ」のバッチ要否フラグ欄２７ｅがバッチ処理不要を示す「０」であることをチェックし、番組「スポーツＤ」についてはバッチ処理による画像処理が行われていない映像データであるとして、映像データが第２の画像処理部２１ｂに供給されるようセレクタ部２１ｃをセットする。
【００４２】
次に、制御部２５は記録部１７、デコーダ部１９、表示制御部２１を制御して指定番組の再生処理を行う。まず、記録部１７が再生指定番組に関するエンコードして記録媒体７に記録された映像データを記録媒体７の所定領域から読出しデコーダ部１９に供給する。デコーダ部１９は供給されたエンコード映像データのデコード処理を行い、デコードされた映像データを表示制御部２１に供給する（ステップＳ６０９、Ｓ６１１）。なお、デコーダ部１９はデコードして分離された音声データに関しては音声出力部７に出力する。
【００４３】
デコーダ部１９から表示制御部２１に供給されるデコード映像データのうち、バッチ処理で画像処理が行われたデコード映像データは、ステップＳ６０５での処理にしたがいセレクタ部２１ｃを介して表示コントローラ部２１ａに供給される。また、デコーダ部１９から表示制御部２１に供給されるデコード映像データのうち、バッチ処理での画像処理が行われていないデコード映像データは、ステップＳ６０７での処理にしたがいセレクタ部２１ｃを介して第２の画像処理部２１ｂに供給される。
【００４４】
第２の画像処理部２１ｂは供給されたデコード映像データについてリアルタイムで処理可能な画像処理を行いながら、画像処理を行った映像データを表示コントローラ部２１ａに供給する。（ステップＳ６１３）
【００４５】
表示コントローラ部２１ａはセレクタ部２１ｃを介してデコーダ部１９から直接供給された画像処理済みのデコード映像データ、または第２の画像処理部２１ｂから供給される画像処理済みのデコード映像データを受け、映像データを外部の表示装置３に再生表示するための表示制御を行う。（ステップＳ６１５）
【００４６】
図５において、番組「ドラマＡ」の映像データについては第２の画像処理部２１ｂを介さずに直接表示コントローラ２１ａに供給されて再生表示制御され、番組「スポーツＤ」の映像データについてはリアルタイムで第２の画像処理部２１ｂにて画像処理されつつ表示コントローラ２１ａで再生表示制御される。
【００４７】
静止画を録画再生するデジタルカメラ等にも適用可能である。
本実施形態によれば、録画した映像データの再生表示に必要な画像処理を装置の待機時間中にバッチ処理で行い、バッチ処理での画像処理を行った映像データについてはリアルタイムでの画像処理を行うことなく表示制御し、表示制御回路側のリアルタイム画像処理性能を上げることなく再生表示データの高画質化が図れる。また、バッチ処理での画像処理を行っていない画像データについてはリアルタイム処理が可能な範囲で画像処理を行うが、この場合にはバッチ処理より画質が劣ったものになる。
【００４８】
また、本実施形態によれば、不揮発性メモリ２７に画像処理の詳細方法について登録し、メモリ２７の内容を参照してバッチ処理での画像処理を行うことにより、番組毎にユーザが自由に画像処理方法を設定できる。
【００４９】
なお、本実施形態においては、第２の画像処理部が表示部の中に設けられた構成であったが、第２の画像処理部は表示制御部と別体であってもよい。また、本実施形態においては、バッチ処理で画像処理を行う第１の画像処理部とリアルタイムで画像処理を行う第２の画像処理部とを別体に設けたが、バッチ処理とリアルタイム処理を１個の画像処理回路で兼用させてもよい。さらに、本実施形態においては、画像処理の種別データを記憶するものとして不揮発性メモリ２７を設けたが、記録媒体７中に種別データを記憶させてもよい。
【００５０】
さらに、本実施形態においては動画像データを録画再生するＤＶＤレコーダ装置で構成および動作を説明したが、本発明は磁気ディスクを記録媒体７として動画像データを録画再生するＨＤＤレコーダ装置や半導体メモリを記録媒体７として静止画像データを記録再生するデジタルカメラなどにも適用可能である。
【００５１】
【発明の効果】
本発明によれば、表示制御回路側のリアルタイム画像処理性能をあげることなく、再生表示データの高画質化を図れた録画再生方法および録画再生装置を提供することが可能になる。
【図面の簡単な説明】
【図１】本発明の実施形態に係わる録画再生装置の構成を示すブロック図。
【図２】映像データの録画動作およびバッチ処理による画像処理動作を説明するためのフローチャート。
【図３】メモリに保存される種別データの例を説明するための図。
【図４】所定番組の録画が終了して種別データが一部更新されたメモリの例を説明するための図。
【図５】所定番組の画像処理が行われた際に種別データが一部更新されたメモリの例を説明するための図。
【図６】映像データの再生動作を説明するためのフローチャート。
【符号の説明】
１    ＤＶＤレコーダ装置
３    表示装置
５    操作部
７    音声出力装置
１１    第１の入力端子
１３    第２の入力端子
１５    エンコーダ部
１７    画像データ記録部
１９    デコーダ部
２１    表示制御部
２１ａ    表示コントローラ部
２１ｂ    第２の画像処理部
２１ｃ    セレクタ部
２３    第１の画像処理部
２５    制御部
２７    不揮発性メモリ
２９    電源部
【図１】
2004282192.tif 000003
【図２】
2004282192.tif 000004
【図３】
2004282192.tif 000005
【図４】
2004282192.tif 000006
【図５】
2004282192.tif 000007
【図６】
2004282192.tif 000008